(57)【要約】【課題】  流体バネと電磁サスペンションを備えた車両懸架装置において、車高の調整を迅速に実行する。【解決手段】  車両懸架装置は、エアバネ１６と電磁サスペンション１８を備える。エアバネ１６は、車両１０のバネ上とバネ下の間に介装され、流体を供給または排出することにより容積を増減させて車高を調整可能に構成されている。電磁サスペンション１８は、モータによって伸縮制御され、車両１０のバネ上とバネ下の間に減衰力を発生させる。ＥＣＵ１００は、エアバネ１６と電磁サスペンション１８をとを協働させて車高を調整する。ＥＣＵ１００は、エアバネ１６による車高の調整の際に、エアバネ１６の分担可能な重量が増加するのに応じて、モータの駆動力を減少させる。【選択図】  図１
2006117210.tif 000002
【特許請求の範囲】
【請求項１】
車両のバネ上とバネ下の間に介装され流体を供給または排出することにより容積を増減させて車高を調整可能に構成された流体バネと、
電動アクチュエータと、前記流体バネと並列的に配置され前記電動アクチュエータによって伸縮制御される伸縮部材と、を有し、車両のバネ上とバネ下の間に減衰力を発生させる電動減衰手段と、
前記流体バネと前記電動減衰手段とを協働させて車高を調整する車高調整手段と、
を備えることを特徴とする車両懸架装置。
【請求項２】
前記車高調整手段は、前記流体バネによる車高の調整の際に、車高の調整方向へ前記伸縮部材を伸縮させるように前記電動アクチュエータを駆動することを特徴とする請求項１に記載の車両懸架装置。
【請求項３】
前記車高調整手段は、前記流体バネによる車高の調整の際に、前記流体バネの分担可能な重量が増加するのに応じて前記電動アクチュエータの駆動力を減少させることを特徴とする請求項２に記載の車両懸架装置。
【請求項４】
車高の調整中、前記電動アクチュエータへの電力供給回路を切断する切断手段をさらに備えることを特徴とする請求項１に記載の車両懸架装置。
【請求項５】
車高の調整終了後に、前記電動アクチュエータの電力供給路を短絡させる短絡手段をさらに備えることを特徴とする請求項１ないし４のいずれかに記載の車両懸架装置。
【発明の詳細な説明】
【技術分野】
【０００１】
本発明は、一般に車両懸架装置に関し、特に電磁サスペンションと流体バネ装置の両方を備えた車両懸架装置に関する。
【背景技術】
【０００２】
路面を走行する車輪から車体に伝達される衝撃を緩和する様々なタイプの車両懸架装置が従来から数多く開発されている。なかでも、アブソーバの機能を電磁アクチュエータに置き換えた電磁サスペンションが知られており、例えば、特許文献１には、電磁サスペンションとエアバネとを組み合わせた車両用電気動力付能動懸架装置が開示されている。また、スプリングとダンパからなるサスペンション装置に車高調整装置を付加することも知られている（例えば、特許文献２および３を参照）。
【特許文献１】特開平２−１２０１１３号公報
【特許文献２】特開平１１−１０８１００号公報
【特許文献３】特開平０６−３４６９４１号公報
【発明の開示】
【発明が解決しようとする課題】
【０００３】
上記特許文献２のようなモータ駆動式の車高調整装置では、車体の重量を保持するために常にモータに駆動電流を供給する必要があるため、消費電力が大きいという問題がある。これに対し、空気バネ式の車高調整装置では、一旦空気を供給した後は電力消費がないが、車高調整時の応答性が低いという問題がある。
【０００４】
本発明はこうした状況に鑑みてなされたものであり、その目的は、電磁サスペンションと流体バネ装置をともに備える車両懸架装置において、車高の調整を迅速に達成できる技術を提供することにある。
【課題を解決するための手段】
【０００５】
本発明のある態様は、車両懸架装置に関する。この装置は、車両のバネ上とバネ下の間に介装され流体を供給または排出することにより容積を増減させて車高を調整可能に構成された流体バネと、電動アクチュエータと、前記流体バネと並列的に配置され前記電動アクチュエータによって伸縮制御される伸縮部材と、を有し、車両のバネ上とバネ下の間に減衰力を発生させる電動減衰手段と、前記流体バネと前記電動減衰手段とを協働させて車高を調整する車高調整手段と、を備える。
【０００６】
ここで、「流体バネ」とは、エアバネや油圧バネのように、密閉空間に流体を満たすことにより弾性力を発揮させるものをいう。「電動アクチュエータ」とは、回転モータ、リニアモータ、ソレノイドなどを含む。この態様によれば、車高の調整時に流体バネと電動減衰手段とを同時に作動させるようにしたので、流体バネまたは電動減衰手段の一方のみを作動させる従来の車高調整装置よりも、目標車高に迅速に到達することができる。
【０００７】
車高調整手段は、流体バネによる車高の調整の際に、車高の調整方向へ伸縮部材を伸縮させるように電動アクチュエータを駆動するようにしてもよい。これによれば、応答性に劣る流体バネの車高調整方向、つまり、車体の上昇方向または下降方向に向けて、応答性の高い電動アクチュエータにより伸縮部材を変位させるので、車高調整を迅速に実行することができる。
【０００８】
車高調整手段は、流体バネによる車高の調整の際に、流体バネの分担可能な重量が増加するのに応じて電動アクチュエータの駆動力を減少させるようにしてもよい。このようにすれば、車高の調整が終了した後に、電動アクチュエータの発揮する車体保持のための駆動力を低減できるので、電動アクチュエータにおける消費電力を低減することができる。
【０００９】
車高の調整中、電動アクチュエータへの電力供給回路を切断する切断手段をさらに備えてもよい。こうすれば、電動アクチュエータの回生電力による抵抗がなくなるので、流体バネによる車高調整を妨げることがなく、円滑に車高を調整することができる。例えば、バッテリの電圧低下などのために電動アクチュエータを駆動することが好ましくないときなどに、上記のような切断手段を備えれば有利である。
【００１０】
車高の調整終了後に、前記電動アクチュエータの電力供給路を短絡させる短絡手段をさらに備えてもよい。こうすれば、電磁サスペンションの伸縮が制限されるので、例えば、乗降時の車体の揺れを軽減することができる。
【発明の効果】
【００１１】
本発明による車両懸架装置によれば、車高の調整時に、流体バネと電動減衰手段とを同時に作動させるようにしたので、目標車高に迅速に到達することができる。
【発明を実施するための最良の形態】
【００１２】
図１は、本実施形態に係る車両懸架装置を備えた四輪の車両１０の模式図である。なお、図１では、説明を簡単にするために車両懸架装置を平面的に表しているが、実際の車両においては、車両懸架装置の機能を発揮するために適切な空間配置で、例えばナックル、タイロッド、アッパーアーム、ロアアームなどの他の部品と既知の方法で組み合わせて構成される。
【００１３】
車両１０の車体１２と各車輪１４の間には、エアバネ１６と電磁サスペンション１８を組み合わせて構成される車両懸架装置が装着されている。エアバネ１６は、電磁サスペンション１８の駆動源であるモータを取り囲むように形成されたエアチャンバに圧縮空気を充填することで実現される。エアチャンバ内の圧縮空気がバネとして作用し、車輪１４を弾性支持することによって、車輪１４の衝撃が車体１２に直接的に伝達されることを防止する。また、エアバネ１６のエアチャンバの容積を変化させることで、車輪１４毎に車高を調整することができる。電磁サスペンション１８は、駆動源であるモータとこのモータにより伸縮される伸縮部材を直列に配置して構成される。電磁サスペンション１８は、モータの力制御により車両のバネ上とバネ下の間に減衰力を発生させる。なお、本明細書において、エアバネ１６により支えられる部材の位置を「バネ上」と呼び、エアバネ１６により支えられていない部材の位置を「バネ下」と呼ぶ。すなわち、バネ上は車体１２側であり、バネ下は車輪１４側である。
【００１４】
エアバネ１６と電磁サスペンション１８とは、一体的に構成されることが省スペースの観点から好ましいが、別々に設けられていてもよい。このエアバネ１６と電磁サスペンション１８の詳細な構成については、図２を参照して後述する。
【００１５】
各車輪１４の近傍には、車輪位置での車高を検出する車高センサ１０４がそれぞれ配置されている。この車高センサ１０４は、例えば、車軸と車体とを連結したリンクの変位を測定することで、車体１２と車輪１４との相対距離を検出するタイプのものである。車高センサ１０４の検出信号は、車体１２に備えられる電子制御装置１００（以下「ＥＣＵ１００」と表記する）に送られる。
【００１６】
車体１２には、エアバネ１６のエアチャンバ内の空気圧を検出するための空気圧センサ１０６が車輪毎に設けられている。この空気圧センサ１０６は、例えば、エアチャンバに連通した通路内に設けた薄膜の変位を電気的に検出して空気圧を測定するタイプのものである。空気圧センサ１０６の検出信号は、ＥＣＵ１００に送られる。
【００１７】
エアバネ１６のエアチャンバは、空気供給ライン１９０と連通している。空気供給ライン１９０の途中には、各車輪１４に対応してそれぞれ空気圧制御バルブ１４０が設けられている。この空気圧制御バルブ１４０は、ＥＣＵ１００と電気的に接続されており、ＥＣＵ１００からの信号に応じて開弁状態と閉弁状態とに切り換えることができる。これによって、空気供給ライン１９０を介してエアバネ１６のエアチャンバ内部に空気を供給し、また内部から空気を排出することができる。
【００１８】
車体１２には、空気供給ライン１９０に圧縮空気を供給するためのコンプレッサ１６０が備えられている。モータ１６２は、コンプレッサ１６０に動力を供給する。モータ１６２が回転すると、空気吸入口１６４を介して外部から空気が取り込まれ、コンプレッサ１６０により圧縮される。圧縮された空気は、ドライヤ１７４に流入する。ドライヤ１７４は、シリカゲル等の乾燥剤を収容しており、流入した空気を乾燥して空気供給ライン１９０に供給する。
【００１９】
車体１２には、コンプレッサ１６０から供給される圧縮空気を蓄えることのできる高圧タンク１６６と、高圧タンクへの空気の流出入を制御する高圧タンクバルブ１６８が設けられていてもよい。高圧タンク１６６は、コンプレッサ１６０から圧縮空気を送り込むことで、例えば７００〜８００ｋＰａに維持されている。高圧タンク１６６とコンプレッサ１６０の両方から圧縮空気を空気供給ライン１９０に供給することで、エアバネの増圧時の応答性を向上させることができる。したがって、コンプレッサ１６０の能力が十分であれば、高圧タンク１６６を車体１２に備えていなくてもよい。
【００２０】
ドライヤ１７４から供給された空気は、逆止弁１７８を経由して、エアチャンバに連通する空気供給ライン１９０に流入する。逆止弁１７８は、コンプレッサ１６０側から空気が供給されると開放して、空気供給ライン１９０に空気を流すが、空気供給ライン１９０側から空気が流れると閉弁する。この逆止弁１７８をバイパスするように、絞り１７６が設けられている。空気供給ライン１９０からの空気は、絞り１７６に流入して、流速を低下させられてからドライヤ１７４に流入する。こうすることによって、ドライヤ１７４のシリカゲルに吸収された水分を還元することができる。ドライヤ１７４を通過した空気は、排気バルブ１７０を介してサイレンサ１７２から車外に放出される。
【００２１】
車体１２の車室内には、運転者のスイッチ操作により予め定義されている車高のなかからひとつの車高を選択できる車高選択装置（図示せず）が備えられていてもよい。これによって、運転者の嗜好に合った走行を実現することができる。この車高選択装置のスイッチ情報もＥＣＵ１００に入力される。
【００２２】
車体１２には、車両の運動状態や各種装置の動作状態を検出するためのセンサ１０２が設置されている。このセンサ１０２は集合的に表されており、具体的には、車両の上下加速度、前後加速度、横加速度等の加速度を検出する加速度センサ、バッテリの残量を知るための電圧センサ、車両１０の車速を検出する車速センサ、車両１０の舵角を検出する舵角センサ、イグニッションキーのオン／オフを検出するイグニッションセンサが含まれる。
【００２３】
ＥＣＵ１００は、各車輪の電磁サスペンション１８およびエアバネ１６の制御を実行する。ＥＣＵ１００は、電磁サスペンション１８のモータに電力を供給する図示しないアンプと通信可能に接続されており、各種センサからの情報に基づいて、車体を安定させるべく適切な減衰力を発揮するように電磁サスペンション１８を制御する。
【００２４】
ＥＣＵ１００は、空気圧制御バルブ１４０、排気バルブ１７０、高圧タンクバルブ１６８、コンプレッサ１６０を駆動するモータ１６２と電気的に接続されている。ＥＣＵ１００は、上述した各種センサおよびスイッチからの信号に基づいて、上記制御バルブおよびモータ１６２に適宜制御信号を出力して、適切な弾性力を発揮するようにエアバネ１６を制御する。
【００２５】
図２は、電磁サスペンション１８とエアバネ１６の構造をより詳細に示す図である。本実施形態では、電磁サスペンション１８とエアバネ１６とは一体的に構成されている。電磁サスペンションの駆動源であるモータ２２の出力軸３６は、ボールネジ４４と一体的に構成されている。出力軸３６とボールネジ４４とは、カップリングを介して同軸に結合されていてもよい。出力軸３６は、ロッド４２内部においてベアリング４０によって回動可能に支持されている。
【００２６】
ボールネジ４４、ロッド４２、アウターシェル５０およびピストン７８は、同軸に配置されている。ボールネジ４４は、ボール通路を内部に形成してなるボールネジナット４６と、このボール通路内を循環する複数個のボール４８を挟んでボールネジ機構を形成している。ボール４８がボールネジ４４およびボールネジナット４６の間で転動接触することにより、直動運動と回転運動が相互に高効率で変換される。
【００２７】
ボールネジナット４６は、ピストン７８の上部と接続固定されており、ピストン７８はアウターシェル５０と同軸に接続されている。アウターシェル５０は、ベアリング５６および５８によってロッド４２の外周に対して摺動可能に支持されている。
【００２８】
モータ２２が、図示しないバッテリから供給される電力によって出力軸３６を回転させると、ボールネジ４４がボールネジナット４６に対して相対回転する。すると、ボールネジナット４６にピストン７８を介して接続されているアウターシェル５０が、ロッド４２に対して下方に押し下げられ、又は上方に引き上げられる。これによって、アウターシェル５０はロッド４２に対して伸縮移動可能となり、モータ２２により制御される伸縮部材として機能する。
【００２９】
アウターシェル５０は、ロッド４２との間に配置されたダストシール７６を有している。ダストシール７６は、アウターシェル５０とロッド４２の間をシールして、アウターシェル５０内へのゴミなどの異物の侵入を防止している。
【００３０】
アウターシェル５０の下部には第２取り付け部６０が設けられる。第２取り付け部６０は、車輪１４から延びる図示しないロアアームに取り付けられる箇所であり、車両懸架装置と車輪１４とを連結する役割を果たす。
【００３１】
なお、本実施形態では、ボールネジ４４が車両のバネ上に、ボールネジナット４６が車両のバネ下に設けられる例について説明するが、逆に、ボールネジ４４が車両のバネ下に、ボールネジナット４６が車両のバネ上に設けられてもよい。
【００３２】
電磁サスペンション１８は、以下のように作動する。モータ２２に駆動電流が与えられると、アウターシェル５０は能動的に伸縮作動して減衰力を発生させる。路面の凹凸などの外部入力によって車輪が上下動する場合、ロッド４２とアウターシェル５０との相対運動によりエアバネ１６が伸縮する。これによって、ボールネジ４４がボールネジナット４６に対して相対回転すると、出力軸３６が回転してモータ２２は発電機として作用する。このときにモータ２２に生じる抵抗力によっても減衰力を発生させることもできる。また、ＥＣＵ１００は、車体の上下方向の加速度に応じてモータ２２に印加する電流を設定し、減衰力を調整する。このようにして、電磁サスペンション１８は、所望の減衰力を発生させ、エアバネ１６による車体１２の上下振動を減衰させる。
【００３３】
また、外部入力のないときでも、ボールネジ４４を回転させて、ロッド４２に対するアウターシェル５０の位置を変えることで、車体を上下方向に変位させることができるので、電磁サスペンション１８は、車高調整にも利用することができる。
【００３４】
エアバネ１６は、電磁サスペンション１８に対して並列に配置されており、車両１０のバネ上の重量を支持するとともに、その弾性力によって路面からの振動や衝撃が車輪１４を通して車体１２に伝わるのを抑制する。
【００３５】
エアバネ１６は、主に、第１取り付け部６６と、ダイヤフラム６４と、カバー６２から構成される。第１取り付け部６６は、車体１２に取り付けられる部分であり、エアバネ１６および電磁サスペンション１８と車体１２を連結する。ダイヤフラム６４は、図２に示すように「Ｊ」字型の断面形状をしており、モータ２２、ロッド４２およびアウターシェル５０を環状に取り囲むように取り付けられる。ダイヤフラム６４の一端は、アウターシェル５０の外周に固定された円錐状のカバー６２に取り付けられ、他端は、第１取り付け部６６の下端に取り付けられる。ダイヤフラム６４、カバー６２、アウターシェル５０および第１取り付け部６６によって、電磁サスペンション１８の周囲に空気が充填される空間であるエアチャンバ７２を形成している。
【００３６】
第１取り付け部６６には、空気供給ライン１９０とエアチャンバ７２の間を連通する空気孔７０が空けられており、この空気孔７０を通して空気が供給または排出される。
【００３７】
第１取り付け部６６の下面と、電磁サスペンション１８のモータ２２の上面とは、緩衝材６８を介して接続されている。電磁サスペンション１８のボールネジ機構は、摩擦力が十分に低くなるように作られているため、第１取り付け部６６とともにモータ２２が上下動すると、これに追従して、ロッド４２に対するアウターシェル５０の相対位置が変化するようになっている。
【００３８】
ここで、エアバネ１６の車高調整時の動作について説明する。空気孔７０からエアチャンバ７２内に圧縮空気が供給されエアチャンバ７２の空気圧が上昇すると、第１取り付け部６６のエアチャンバ７２に面する下面が押し上げられる。これによって車体１２の車高が上昇する。逆に、空気孔７０からエアチャンバ７２内の空気が排出されエアチャンバ７２の空気圧が低下すると、車体１２の重量により第１取り付け部６６が低下させられて、これによって車体１２の車高が減少する。
【００３９】
図３は、ＥＣＵ１００のうち、車高調整に関与する部分の構成を示す機能ブロック図である。ここに示す各ブロックは、ハードウェア的には、コンピュータのＣＰＵやメモリをはじめとする素子や回路で実現でき、ソフトウェア的にはコンピュータプログラム等によって実現されるが、ここでは、それらの連携によって実現される機能ブロックとして描いている。したがって、これらの機能ブロックはハードウェア、ソフトウェアの組合せによっていろいろなかたちで実現できることは、当業者には理解されるところである。なお、ＥＣＵ１００は、他の車両制御を実行するＥＣＵと一体に構成されていてもよいし、別々の装置として設けられていてもよい。
【００４０】
車高設定部１１０は、車両１０の走行状態、路面状況、運転者の嗜好に合わせて、車両の車高を設定する。具体的には、上述の車高調整装置により運転者が車高を選択した場合には、その車高に設定する。車高が選択されていない場合は、路面状況や車速に応じて車高を決定する。例えば、路面の凹凸が大きく車両の振動が大きい場合には、路面と車体下面との接触を防止すべく車高を高く設定する。高速走行中には、車両の走行安定性を確保すべく車高を低く設定する。
【００４１】
分担判定部１１２は、車高設定部１１０で決定された車高にするために、エアバネ１６と電磁サスペンション１８の両方とも使用するか、またはエアバネ１６のみを使用するかを決定する。分担判定部１１２には、車高センサ１０４からの情報も入力され、所望の車高になったときに車高の調整を停止させる。
【００４２】
モータ制御部１１４は、分担判定部１１２からの指令にしたがって、電磁サスペンション１８のモータを駆動する。一例では、車高調整を迅速に達成するために、モータ２２の最大駆動力を出すようにモータ２２を制御する。
【００４３】
空気圧制御部１１６は、エアバネ１６のエアチャンバ７２の空気圧を制御する。増圧時には、コンプレッサ１６０のモータ１６２を駆動し、空気圧制御バルブ１４０と１６８を開弁して、コンプレッサ１６０と高圧タンク１６６からの高圧空気を、ドライヤ１７４、逆止弁１７８、空気供給ライン１９０を介してエアチャンバ７２に導く。減圧時には、空気圧制御バルブ１４０と１７０を開弁して、エアチャンバ７２の空気を空気供給ライン１９０、絞り１７６、ドライヤ１７４およびサイレンサ１７２を介して車体の外に排出する。
【００４４】
設定された車高に到達すると、分担判定部１１２は、エアチャンバ７２の空気圧に基づいて、エアバネ１６の分担可能な重量を計算する。モータ制御部１１４は、計算された重量の分だけ、モータ２２の駆動力を減少させるように制御する。空気圧センサ１０６の情報から、エアバネ１６のエアチャンバ７２が所望の空気圧になったことが分かると、分担判定部１１２は、空気圧制御部１１６に対しエアチャンバの増圧を停止するよう指令し、空気圧制御部１１６は、各空気圧制御バルブ１４０を閉弁する信号を出す。
【００４５】
図４は、電磁サスペンション１８のモータ２２の駆動力の時間応答を示す図であり、図５は、エアバネ１６の空気圧の時間応答を示す図である。図４、５に示すように、一般にエアバネの応答速度は電磁サスペンションの応答速度よりも遅い。そこで、本実施形態では、分担判定部１１２は、電磁サスペンション１８とエアバネ１６の両方を駆動して車高調整を実行する。
【００４６】
図６は、車高変化の時間応答を示す図である。図６において、実線「Ａ」はエアバネと電磁サスペンションをともに使用して車高を上昇させたとき、実線「Ｂ」はエアバネのみを使用して車高を上昇させたときの車高変化を示す。図６から分かるように、エアバネと電磁サスペンションをともに使用することによって、車高調整を従来より高速で実施することができる。
【００４７】
分担判定部１１２は、車高低下時には、車高低下方向に電磁サスペンションを駆動させるとともに、エアチャンバから空気を排出させるように指令する。これにより、車高低下も高速で実施できる可能性がある。ただし、空気の排出は、供給よりも高速で実施可能であるから、この場合、電磁サスペンションの駆動による寄与分は低下する。
【００４８】
電磁サスペンションには、モータへの電力供給路を遮断したり、短絡させたりするための図示しないスイッチ回路が設けられていてもよい。このスイッチ回路は、モータ制御部１１４からの信号に応じて、図示しないバッテリとの通電、モータの短絡、モータの電気回路からの切断を切り換えることができるように構成されている。この場合、車高調整時、特に車高の低下時に、電磁サスペンションへの通電を切断するようにすれば、逆起電力による抵抗がなくなり、車高低下を迅速に実施することができる。これは、例えば、バッテリの電圧低下などのために電磁サスペンションを駆動することが好ましくない場合などに実行するとよい。
【００４９】
また、車両からの乗降時に、モータ制御部１１４からの信号に応じて、スイッチ回路をモータの短絡に切り換えるようにしてもよい。こうすれば、電磁サスペンションの伸縮が制限されるので、乗降時の車体の揺れを軽減することができる。
【００５０】
次に、車高調整の際の実際の手順について、フローチャートを参照して説明する。図７は、本実施形態の車両懸架装置による車高上昇のフローチャートである。まず、車高設定部１１０が、目標車高を設定する（Ｓ１０）。続いて、車高センサ１０４により、現在の車高を取得する（Ｓ１２）。分担判定部１１２は、目標車高と現在車高とを受け取り、電磁サスペンション１８とエアバネ１６の両方を使用するか、またはエアバネ１６のみを使用するかを決定する（Ｓ１４）。これに応じて、モータ制御部１１４は、電磁サスペンション１８のモータ２２への指令値を演算し、空気圧制御部１１６は、エアバネ１６の目標空気圧を決定する（Ｓ１６）。モータの駆動とエアチャンバへの空気供給が開始され（Ｓ１８）、目標車高に到達するまで継続される（Ｓ２０のＮ）。目標車高に到達すると（Ｓ２０のＹ）、分担判定部１１２は、エアバネ１６の分担できる重量を計算し、モータ制御部１１４は、その分だけモータの駆動力を低下させる（Ｓ２２）。エアバネ１６の空気圧が目標空気圧に到達したら、空気の供給を停止する（Ｓ２４）。
【００５１】
これによって、車高調整を従来より高速で実施でき、また、車高が目標車高に達した後は、電磁サスペンションの駆動力を低下させるので、電磁サスペンションにおける消費電力も低減することができる。
【００５２】
図８は、本実施形態の車両懸架装置による、乗降時の車高下降のフローチャートである。運転者によるイグニッションキーがオフされると、その情報がＥＣＵ１００に入力される（Ｓ３０）。モータ制御部１１４は、図示しないスイッチ回路に対し、モータ２２を回路から切断するように指令する（Ｓ３２）。空気圧制御部１１６は、エアチャンバの空気圧の低下を開始する（Ｓ３４）。目標車高に到達するまで空気を排出し（Ｓ３６のＮ）、車高センサからの信号により目標車高に到達すると（Ｓ３６のＹ）、空気の排出を停止する（Ｓ３８）。そして、モータ制御部１１４は、スイッチ回路に対し、モータを短絡するように指令する（Ｓ４０）。これによって、電磁サスペンションはモータの逆起電力により回転が制限されるようになるので、乗降時の振動を軽減することができる。
【００５３】
以上説明したように、本実施形態によれば、車高の調整時にエアバネと電磁サスペンションとを同時に作動させるようにしたので、従来の車高調整装置よりも目標車高に迅速に到達することができる。
【００５４】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。以下、そのような変形例について述べる。
【００５５】
実施の形態では、エアバネと電磁サスペンションを並列させた車両懸架装置を説明したが、油圧バネと電磁サスペンションを並列させた車両懸架装置についても、本発明を適用することができる。
【００５６】
図示しないバッテリの電圧を検出する電圧検出手段をさらに備え、所定の電圧以下であるときは、分担判定部１１２は、電力の消費量を低減するために電磁サスペンションによる車高調整を実行せず、常にエアバネのみで車高調整するようにしてもよい。
【図面の簡単な説明】
【００５７】
【図１】車両懸架装置を備えた四輪の車両の模式図である。
【図２】エアバネと電磁サスペンションの構造を示す図である。
【図３】ＥＣＵのうち、車高の調整に関与する部分の構成を示す機能ブロック図である。
【図４】電磁サスペンションの駆動力の時間応答を示す図である。
【図５】エアバネの空気圧の時間応答を示す図である。
【図６】車高変化の時間応答を示す図である。
【図７】本実施形態の車両懸架装置による車高上昇のフローチャートである。
【図８】本実施形態の車両懸架装置による車高下降のフローチャートである。
【符号の説明】
【００５８】
１０  車両、  １２  車体、  １４  車輪、  １６  エアバネ、  １８  電磁サスペンション、  ２２  モータ、  ４２  ロッド、  ４４  ボールネジ、  ４６  ボールネジナット、  ４８  ボール、  ５０  アウターシェル、  ６４  ダイヤフラム、  ７０  空気孔、  ７２  エアチャンバ、  ７８  ピストン、  １００  ＥＣＵ、  １０４  車高センサ、  １０６  空気圧センサ、  １１０  車高設定部、  １１２  分担判定部、  １１４  モータ制御部、  １１６  空気圧制御部。
【図１】
2006117210.tif 000003
【図２】
2006117210.tif 000004
【図３】
2006117210.tif 000005
【図４】
2006117210.tif 000006
【図５】
2006117210.tif 000007
【図６】
2006117210.tif 000008
【図７】
2006117210.tif 000009
【図８】
2006117210.tif 000010